(57)【要約】【課題】  ランプソケットの器具への組込み方向を一方向のまま、異なる形状の器具を構成しやすいランプソケットを提供する。【解決手段】器具本体当接部１０と、ソケット本体13の前端側に設けられて器具カバー５のソケット挿通部７より露出したランプ装着部１１と、器具本体当接部１０とランプ装着部１１との間の側面より張り出してソケット挿通部７の縁部に当接する器具カバー当接部１２を有する。そして、ソケット本体１３が器具本体当接部１０および器具カバー当接部１２により、器具本体１と器具カバー５に挟持固定される。この場合、器具カバー当接部１２を器具本体当接部１０から異なる間隔で複数（１２ａ、１２ｂ）設け、各々の張り出し幅を、器具本体当接部１０から遠いもの程小さくしている。【選択図】        図１
2005285418.tif 000002
【特許請求の範囲】
【請求項１】
器具本体と、ソケット挿通部を有し前記器具本体の少なくとも一部に対向配置されて前記器具本体の前面を覆う器具カバーとを備えた照明器具のランプソケットであって、
ソケット本体の後端側に設けられて前記器具本体に当接する器具本体当接部と、前記ソケット本体の前端側に設けられて前記器具カバーの前記ソケット挿通部より露出したランプ装着部と、前記器具本体当接部と前記ランプ装着部との間の側面より張り出して前記ソケット挿通部の縁部に当接する器具カバー当接部とを有し、前記ソケット本体が前記器具本体当接部および前記器具カバー当接部により、前記器具本体と前記器具カバーに挟持固定されるランプソケットにおいて、
前記器具カバー当接部を前記器具本体当接部から異なる間隔で複数設け、各々の張り出し幅を、前記器具本体当接部から遠いもの程小さくしたことを特徴とするランプソケット。
【請求項２】
器具本体と、ソケット挿通部を有し前記器具本体の少なくとも一部に対向配置されて前記器具本体の前面を覆う器具カバーとを備えた照明器具のランプソケットであって、
ソケット本体の後端側に設けられて前記器具本体に当接する器具本体当接部と、前記ソケット本体の前端側に設けられて前記器具カバーの前記ソケット挿通部より露出したランプ装着部と、前記器具本体当接部と前記ランプ装着部との間の側面より張り出して前記ソケット挿通部の縁部に当接する器具カバー当接部とを有し、前記ソケット本体が前記器具本体当接部および前記器具カバー当接部により、前記器具本体と前記器具カバーに挟持固定されるランプソケットにおいて、
前記器具カバー当接部を前記器具本体当接部から異なる間隔で複数設け、各々の前記側面に沿った長さを、前記器具本体当接部に近いもの程大きくしたことを特徴とするランプソケット。
【請求項３】
前記ソケット本体は、前記器具カバー当接部の少なくとも一部がソケット長手方向の全長に延びている請求項１または請求項２記載のランプソケット。
【請求項４】
前記ソケット本体の最も中央寄りの前記器具カバー当接部がソケット長手方向の全長に延びている請求項３記載のランプソケット。
【発明の詳細な説明】
【技術分野】
【０００１】
この発明は、照明器具組込み用のランプソケット、特に器具本体とその前面に配置される器具カバーとで挟持されるランプソケットに関するものである。
【背景技術】
【０００２】
器具本体とその前面に配置される器具カバーとの間に挟持される従来のランプソケットは、器具本体への係止爪などの取付部と、器具カバーに対応した当接部を有するもの（例えば特許文献１）や、器具本体と器具本体への取付部の挿入方向に対して垂直方向にランプソケットに嵌合する器具カバーの嵌合部材とによって挟持するものがあった。
【特許文献１】実開平５−８８９０号公報
【発明の開示】
【発明が解決しようとする課題】
【０００３】
しかし、前者では、取付部と当接部の位置関係が１種類しかないため、ランプソケットの器具取付方向の高さを変えた器具を構成する場合、器具本体または器具カバーの形状が複雑になりがちであり、構成しにくかった。
【０００４】
後者は、ランプソケットの組込みが、嵌合部材の嵌合のため器具本体への一方向だけでなくなるとともに、嵌合部材により構造が複雑になった。
【０００５】
したがって、この発明の目的は、ランプソケットの器具への組込み方向を一方向のまま、異なる形状の器具を構成しやすいランプソケットを提供することである。
【課題を解決するための手段】
【０００６】
この発明のランプソケットは、器具本体と、ソケット挿通部を有し前記器具本体の少なくとも一部に対向配置されて前記器具本体の前面を覆う器具カバーとを備えた照明器具のランプソケットである。ランプソケットはソケット本体の後端側に設けられて前記器具本体に当接する器具本体当接部を有する。また前記ソケット本体の前端側に設けられて前記器具カバーの前記ソケット挿通部より露出したランプ装着部を有する。さらに前記器具本体当接部と前記ランプ装着部との間の側面より張り出して前記ソケット挿通部の縁部に当接する器具カバー当接部を有する。そして、前記ソケット本体が前記器具本体当接部および前記器具カバー当接部により、前記器具本体と前記器具カバーに挟持固定される。この場合、前記器具カバー当接部を前記器具本体当接部から異なる間隔で複数設け、各々の張り出し幅を、前記器具本体当接部から遠いもの程小さくしている。
【０００７】
この発明の別のランプソケットは、前記器具カバー当接部を前記器具本体当接部から異なる間隔で複数設け、各々の前記側面に沿った長さを、前記器具本体当接部に近いもの程大きくしたことを特徴とする。
【０００８】
上記構成において、前記ソケット本体は、前記器具カバー当接部の少なくとも一部がソケット長手方向の全長に延びている。
【０００９】
上記構成において、前記ソケット本体の最も中央寄りの前記器具カバー当接部がソケット長手方向の全長に延びている。
【発明の効果】
【００１０】
この発明のランプソケットによれば、器具カバー当接部を前記器具本体当接部から異なる間隔で複数設け、各々の張り出し幅を前記器具本体当接部から遠いもの程小さくしたため、ランプソケットの器具取付方向の高さを変えた器具を構成する場合、ランプソケットの器具への組み込み方向を一方向のまま、異なる形状の器具カバーに容易に対応することができるので、異なる形状の器具を構成しやすくなる。
【００１１】
各々の長さを器具本体当接部に近いもの程大きくすると、器具カバー当接部の張り出し幅を大きくしないので省材料を実現でき強度低下を防止できる。
【００１２】
器具カバー当接部がソケット長手方向の全長に延びていることにより、ランプソケットの成形品の反り、ねじれ等を抑制できる。とくにソケット中央寄りに設けると、その効果をより顕著にすることができる。
【発明を実施するための最良の形態】
【００１３】
この発明の第１の実施の形態を適用した環形蛍光灯照明器具を図１から図５により説明する。すなわち、この照明器具は、器具本体１が天井３の引掛シーリングボディ２に取付具２５を介して取付けられている。この器具本体１の前面には点灯回路部品（図示せず）が取付けられ、反射板を兼ねた器具カバー５を器具本体１の前面に対向配置し、器具本体１の前面の点灯回路部品を覆っている。器具カバー５は中央部に引掛シーリングキャップ４を通すための穴２６を形成し、周縁部にランプソケット６を挿通するためのソケット挿通部７を切欠により形成し、また中央部を間にしてソケット挿通部７と反対側にランプ保持ばね８を設けている。ランプ保持ばね９はランプ保持ばね８の近くの器具本体１に取付けられている。
【００１４】
ランプソケット６は、ソケット本体１３が略三角柱体に近い略長方体をなしその長手方向を器具本体１の径方向に向けている。ソケット本体１３の後端側には器具本体１に当接する器具本体当接部１０を設けている。器具本体当接部１０は凸部１４を有し、その両側に係止爪１５を設けている。一方器具本体１には凸部１４に嵌合する穴を形成し、その穴に凸部１４を嵌合することにより器具本体１の前面に器具本体当接部１０を当接するとともに係止爪１５が穴の縁部に抜止め係止する。１６は係止爪１５の係止を確実にするため係止爪１５の両側に設けられて器具本体１の前面を受ける突起である。
【００１５】
ソケット本体１３の前端側には、器具カバー５のソケット挿通部７より露出したランプ装着部１１が設けられている。この器具本体１は２灯用であるため、ランプ装着部１１は器具本体１の径方向に所定の間隔で２個設けられている。
【００１６】
ソケット本体１３の器具本体当接部１０とランプ装着部１１との間の側面には、器具カバー５の内面に当接するつば状ないしリブ状の器具カバー当接部１２を張り出している。器具カバー当接部１２はソケット本体１３の両側面および一端面に連続するように設けられ、かつ器具本体当接部１０から異なる間隔で複数（１２ａ、１２ｂ）設けている。この場合、器具カバー当接部１２ａ、１２ｂの張り出し幅（側面から突出する高さ）は器具本体当接部１０から遠いもの程小さくしている。すなわち図５（ａ）に示すように、ソケット本体１３の両側面より張り出した器具カバー当接部１２の先端間の距離について、器具本体当接部１０から遠い器具カバー当接部１２ｂの先端間の距離Ｗ１、器具本体当接部１０に近い器具カバー当接部１２ａの先端間の距離Ｗ２とするとき、Ｗ１＜Ｗ２である。図１では器具本体当接部１０に近い器具カバー当接部１２ａに器具カバー５のソケット挿通部７の縁部が係止している。したがって、ソケット挿通部７の幅は器具カバー当接部１２ｂを通り抜けることができる幅に形成されている。また器具カバー当接部１２の一部、すなわち両器具カバー当接部１２ａ、１２ｂのうち、ソケット本体１３の最も中央寄りの器具カバー当接部１２ａがソケット長手方向の全長に延びている。カバー当接部１２ｂも一部不連続部分を残してほぼ全長に延びている。そして、器具カバー５が器具本体１の前面に取付けられることにより、ソケット本体１が器具本体当接部１０および器具カバー当接部１２により、器具本体１と器具カバー５に挟持固定される。
【００１７】
別の器具カバー５′（図３参照）を器具カバー当接部１２ｂに当接させる場合には、別の器具カバー５′のソケット挿通部７の幅を器具カバー５のソケット挿通部７の幅よりも狭くすることで実現できる。すなわち、図１（ｂ）に示すようにソケット挿通部７の幅Ａの調整により器具カバー当接部１２ａ、１２ｂを使い分けることができる。この結果、ソケット挿通部７の形状の異なる２種類の器具カバー５、５′に容易に対応することができ形状が複雑にならない。
【００１８】
２０はランプ装着部１１およびランプ支持ばね８、９に保持され、ランプ装着部１１にランプピンが接続された環形蛍光ランプ、２２はリード線である。
【００１９】
この発明の第２の実施の形態を図６から図１０により説明する。このランプソケットは、第１の実施の形態において、器具カバー当接部１２ｂを段状に形成している。図１０（ａ）は器具カバー５を器具カバー当接部１２ａに係止した場合であり、図１０（ｂ）は器具カバー５よりもソケット挿通部７の幅の小さい別種の器具カバー５′を器具カバー当接部１２ｂに係止した場合である。
【００２０】
この発明の第３の実施の形態を図１１および図１２により説明する。このランプソケットは、第１の実施の形態において、器具カバー当接部１２ａ、１２ｂを器具本体当接部１０から異なる間隔で複数設けるが、張り出し幅は同じにし、各々のソケット本体１３の側面に沿った長さを器具本体当接部１０に近いもの程大きくしている。すなわち、器具カバー当接部１２ａは第１の実施の形態と同様にソケット本体１３の全長に延びており、器具カバー当接部１２ｂはソケット本体１３の両側面の中央付近のみに長さを短縮している。一方器具カバー当接部１２ｂに当接する器具カバー５′は図１２（ａ）に示すようにランプソケット６を挿通するソケット挿通部７を角穴形状にし、ランプ装着部１１を露出させるとともにソケット挿通部７の縁部に器具カバー当接部１２ｂを係止している。これに対して、器具本体当接部１０に近い器具カバー当接部１２ａに当接する器具カバー５は図１２（ｂ）に示すようにランプソケット６を挿通するソケット挿通部７を角穴形状にするとともに中央部に広幅部７ａを形成し、ソケット挿通部７よりランプ装着部１１を露出させるとともに広幅部７ａより器具カバー当接部１２ｂを挿通し、ソケット挿通部７の縁部に器具カバー当接部１２ａを係止している。
【００２１】
なお、本発明において、張り出し幅を第１の実施の形態と同様に器具本体当接部１０からの距離に応じて異ならせることができ、この場合ソケット挿通部７の穴形状は一部に広幅部のない単純な長方形状となる。
【図面の簡単な説明】
【００２２】
【図１】（ａ）はこの発明の第１の実施の形態を適用した照明器具の断面図、（ｂ）は器具カバーの縮小概略平面図である。
【図２】（ａ）はランプソケットの上端側をみた斜視図、（ｂ）はランプソケットを（ａ）と逆にした斜視図である。
【図３】（ａ）はランプソケットの正面図、（ｂ）はその底面図である。
【図４】（ａ）はランプソケットの平面図、（ｂ）は背面図である。
【図５】（ａ）はランプソケットの右側面図、（ｂ）は左側面図である。
【図６】（ａ）は第２の実施の形態のランプソケットの上端側をみた斜視図、（ｂ）はランプソケットを（ａ）と逆にした斜視図である。
【図７】（ａ）はランプソケットの正面図、（ｂ）はその底面図である。
【図８】（ａ）はランプソケットの平面図、（ｂ）は背面図である。
【図９】（ａ）はランプソケットの右側面図、（ｂ）は左側面図である。
【図１０】（ａ）は上側の器具カバー当接部に器具カバーを当接させて器具本体に取付けた状態の部分断面図、（ｂ）は下側の器具カバー当接部に器具カバーを当接させて器具本体に取付けた状態の部分断面図である。
【図１１】（ａ）は第３の実施の形態の正面図、（ｂ）はその平面図である。
【図１２】（ａ）は下側の器具カバー当接部に係止する器具カバーの縮小概略平面図、（ｂ）は上側の器具カバー当接部に係止する器具カバーの縮小概略平面図である。
【符号の説明】
【００２３】
１    器具本体
５    器具カバー
５′    器具カバー
６    ランプソケット
７    ソケット挿通部
１０    器具本体当接部
１１    ランプ装着部
１２    器具カバー当接部
１２ａ  器具カバー当接部
１２ｂ  器具カバー当接部
１３    ソケット本体
【図１】
2005285418.tif 000003
【図２】
2005285418.tif 000004
【図３】
2005285418.tif 000005
【図４】
2005285418.tif 000006
【図５】
2005285418.tif 000007
【図６】
2005285418.tif 000008
【図７】
2005285418.tif 000009
【図８】
2005285418.tif 000010
【図９】
2005285418.tif 000011
【図１０】
2005285418.tif 000012
【図１１】
2005285418.tif 000013
【図１２】
2005285418.tif 000014